(57)【要約】【課題】浴槽につかる際のヒートショックのおそれを低減する。【解決手段】風呂給湯器のコントローラは、Ｓ１の判別で、室温サーミスタから検出される室温が、ヒートショック対策が必要な温度（例えば１５℃以下）であれば、Ｓ２で、給湯リモコン等で設定される目標温度よりも低い低目標温度で湯張りを開始する。Ｓ６で設定水量に達してＳ７で湯張り終了後、Ｓ８で入浴を検出すると、Ｓ１１で追い焚きを行って目標温度で保温する。【選択図】図２
2019007662.tif 000002
【特許請求の範囲】
【請求項１】
給湯側バーナと、その給湯側バーナの燃焼排気によって内部を通過する水を加熱する給湯側熱交換器とを備えてなる給湯加熱部と、
風呂側バーナと、前記風呂側バーナの燃焼排気によって内部を通過する湯水を加熱する風呂側熱交換器とを備え、前記風呂側熱交換器と浴槽との間に、前記給湯加熱部と接続される風呂循環経路を形成する風呂加熱部と、
前記浴槽への入浴を検出する入浴検出手段と、
前記給湯側バーナ及び前記風呂側バーナの燃焼を制御すると共に、前記給湯加熱部から前記浴槽への湯張り及び／又は前記浴槽内の湯水の追い焚きを実行するコントローラと、
前記湯張り及び／又は前記追い焚きの目標温度を設定する目標温度設定手段と、を含んでなる風呂給湯器であって、
前記コントローラは、前記湯張り及び／又は前記追い焚きを、前記目標温度設定手段で設定される前記目標温度よりも低い低目標温度で実行する一方、
前記湯張り及び／又は前記追い焚き後に前記入浴検出手段によって入浴を検出すると、前記追い焚きを前記目標温度となるまで実行することを特徴とする風呂給湯器。
【請求項２】
前記浴槽内の湯水の温度を検出する湯温検出手段を備え、前記コントローラは、前記湯張り及び／又は前記追い焚き後で前記入浴検出手段による入浴の検出前に、前記湯温検出手段によって前記浴槽内の湯水の温度低下を検出したら、前記低目標温度まで前記追い焚きを実行することを特徴とする請求項１に記載の風呂給湯器。
【請求項３】
前記浴槽外の気温を検出する気温検出手段を備え、前記コントローラは、前記気温検出手段による検出温度が所定温度以下の場合に、前記湯張り及び／又は前記追い焚きを、前記目標温度設定手段で設定される前記目標温度よりも低い低目標温度で実行することを特徴とする請求項１又は２に記載の風呂給湯器。
【請求項４】
前記目標温度設定手段は、前記低目標温度を、前記気温検出手段による前記検出温度に応じて変更することを特徴とする請求項３に記載の風呂給湯器。
【請求項５】
前記低目標温度で実行する前記湯張り及び／又は前記追い焚きを報知する報知手段を備えることを特徴とする請求項１乃至４の何れかに記載の風呂給湯器。
【請求項６】
給湯側バーナと、その給湯側バーナの燃焼排気によって内部を通過する水を加熱する給湯側熱交換器とを備えてなる給湯加熱部と、
風呂側バーナと、前記風呂側バーナの燃焼排気によって内部を通過する湯水を加熱する風呂側熱交換器とを備え、前記風呂側熱交換器と浴槽との間に、前記給湯加熱部と接続される風呂循環経路を形成する風呂加熱部と、
前記浴槽内の湯水の温度を検出する湯温検出手段と、
前記浴槽への入浴を検出する入浴検出手段と、
前記給湯側バーナ及び前記風呂側バーナの燃焼を制御すると共に、前記給湯加熱部から前記浴槽への湯張り及び／又は前記浴槽内の湯水の追い焚きを実行するコントローラと、
前記湯張り及び／又は前記追い焚きの目標温度を設定する目標温度設定手段と、を含んでなる風呂給湯器であって、
前記コントローラは、前記湯張り及び／又は前記追い焚きを、前記目標温度設定手段で設定される前記目標温度で実行した後、
前記風呂循環経路内で前記浴槽の湯水を循環させて、前記浴槽内の湯水を前記目標温度よりも低い低目標温度まで低下させる一方、
前記浴槽の湯水の循環後に前記入浴検出手段によって入浴を検出すると、前記追い焚きを前記目標温度となるまで実行することを特徴とする風呂給湯器。
【発明の詳細な説明】
【技術分野】
【０００１】
本発明は、給湯加熱部と風呂加熱部とを備えた風呂給湯器に関する。
【背景技術】
【０００２】
従来、浴槽の湯水を加熱する機能を備えた風呂給湯器が広く実用に供されている。この風呂給湯器は、例えば特許文献１に開示されるように、給湯側熱交換器及び当該熱交換器を加熱する給湯側バーナを備えた給湯側燃焼室と、給湯側熱交換器を通過した湯を出湯する出湯管とを含んでなる給湯回路（給湯加熱部）と、風呂側熱交換器及び当該熱交換器を加熱する風呂側バーナを備えた風呂側燃焼室と、風呂側熱交換器と浴槽との間に接続される戻り配管及び往き配管とを含んで風呂循環経路を形成する風呂回路（風呂加熱部）と、を併設したものが知られている。風呂回路は、給湯回路と接続されて、給湯回路から出湯した湯を浴槽に供給することで湯張りが可能であるのに加え、風呂循環経路のポンプによって浴槽の湯水を風呂側熱交換器との間で循環させながら風呂側バーナを燃焼させることで、浴槽の湯水を沸かし上げたり、追い焚きによって保温したりすることができるようになっている。
【先行技術文献】
【特許文献】
【０００３】
【特許文献１】特開２０１３−１７０７９４号公報
【発明の概要】
【発明が解決しようとする課題】
【０００４】
ところで、近年、急激な温度の変化により血圧の乱高下や脈拍の変動が起こるいわゆるヒートショックと称される危険が指摘されている。このヒートショックは、冬場に暖房の効いた部屋から低温の脱衣場や浴室に入ったり、温度の低い浴室内で温度の高い浴槽内に入ったりする際にも起こり得る。そこで、脱衣場や浴室に暖房機能を設けて温度変化を緩和する対策も行われているが、浴槽に湯張りされる温度は暖房温度よりも高い場合（４０℃以上）が多いため、浴槽につかる前と後での体感温度の変化は避けられない。
【０００５】
そこで、本発明は、浴槽につかる際のヒートショックのおそれを低減することができる風呂給湯器を提供することを目的としたものである。
【課題を解決するための手段】
【０００６】
上記目的を達成するために、請求項１に記載の発明は、給湯側バーナと、その給湯側バーナの燃焼排気によって内部を通過する水を加熱する給湯側熱交換器とを備えてなる給湯加熱部と、風呂側バーナと、風呂側バーナの燃焼排気によって内部を通過する湯水を加熱する風呂側熱交換器とを備え、風呂側熱交換器と浴槽との間に、給湯加熱部と接続される風呂循環経路を形成する風呂加熱部と、浴槽への入浴を検出する入浴検出手段と、給湯側バーナ及び風呂側バーナの燃焼を制御すると共に、給湯加熱部から浴槽への湯張り及び／又は浴槽内の湯水の追い焚きを実行するコントローラと、湯張り及び／又は追い焚きの目標温度を設定する目標温度設定手段と、を含んでなる風呂給湯器であって、
コントローラは、湯張り及び／又は追い焚きを、目標温度設定手段で設定される目標温度よりも低い低目標温度で実行する一方、湯張り及び／又は追い焚き後に入浴検出手段によって入浴を検出すると、追い焚きを目標温度となるまで実行することを特徴とする。
請求項２に記載の発明は、請求項１の構成において、浴槽内の湯水の温度を検出する湯温検出手段を備え、コントローラは、湯張り及び／又は追い焚き後で入浴検出手段による入浴の検出前に、湯温検出手段によって浴槽内の湯水の温度低下を検出したら、低目標温度まで追い焚きを実行することを特徴とする。
請求項３に記載の発明は、請求項１又は２の構成において、浴槽外の気温を検出する気温検出手段を備え、コントローラは、気温検出手段による検出温度が所定温度以下の場合に、湯張り及び／又は追い焚きを、目標温度設定手段で設定される目標温度よりも低い低目標温度で実行することを特徴とする。
請求項４に記載の発明は、請求項３の構成において、目標温度設定手段は、低目標温度を、気温検出手段による検出温度に応じて変更することを特徴とする。
請求項５に記載の発明は、請求項１乃至４の何れかの構成において、低目標温度で実行する湯張り及び／又は追い焚きを報知する報知手段を備えることを特徴とする。
上記目的を達成するために、請求項６に記載の発明は、給湯側バーナと、その給湯側バーナの燃焼排気によって内部を通過する水を加熱する給湯側熱交換器とを備えてなる給湯加熱部と、風呂側バーナと、風呂側バーナの燃焼排気によって内部を通過する湯水を加熱する風呂側熱交換器とを備え、風呂側熱交換器と浴槽との間に、給湯加熱部と接続される風呂循環経路を形成する風呂加熱部と、浴槽内の湯水の温度を検出する湯温検出手段と、浴槽への入浴を検出する入浴検出手段と、給湯側バーナ及び風呂側バーナの燃焼を制御すると共に、給湯加熱部から浴槽への湯張り及び／又は浴槽内の湯水の追い焚きを実行するコントローラと、湯張り及び／又は追い焚きの目標温度を設定する目標温度設定手段と、を含んでなる風呂給湯器であって、
コントローラは、湯張り及び／又は追い焚きを、目標温度設定手段で設定される目標温度で実行した後、風呂循環経路内で浴槽の湯水を循環させて、浴槽内の湯水を目標温度よりも低い低目標温度まで低下させる一方、浴槽の湯水の循環後に入浴検出手段によって入浴を検出すると、追い焚きを目標温度となるまで実行することを特徴とする。
【発明の効果】
【０００７】
請求項１及び６に記載の発明によれば、入浴を検出するまでは、目標温度よりも低い低目標温度が維持された湯張り及び／又は追い焚きが行われるため、入浴時には当該低目標温度の湯につかることになり、浴槽につかる前と後での体感温度の変化を小さくすることができる。よって、浴槽につかる際のヒートショックのおそれを低減することができる。
請求項２に記載の発明によれば、請求項１の効果に加えて、入浴の検出前に浴槽内の湯水の温度低下を検出したら、低目標温度で保温するので、湯温が下がりすぎることがない。
請求項３に記載の発明によれば、請求項１又は２の効果に加えて、コントローラは、気温検出手段による検出温度が所定温度以下の場合に、湯張り及び／又は追い焚きを低目標温度で実行するので、ヒートショック対策が必要な場合にのみ低目標温度で湯張り及び／又は追い焚きを行うことができる。
請求項４に記載の発明によれば、請求項３の効果に加えて、低目標温度を気温検出手段による検出温度に応じて変更することで、浴槽外の気温に応じた適切な低目標温度を設定することができる。
請求項５に記載の発明によれば、請求項１乃至４の何れかの効果に加えて、低目標温度で実行する湯張り及び／又は追い焚きを報知する報知手段を備えることで、ヒートショック対策による湯張り及び／又は追い焚きであることをユーザに知らせることができ、故障との誤解を回避できる。
【図面の簡単な説明】
【０００８】
【図１】風呂給湯器の概略回路図である。
【図２】自動湯張り運転のフローチャートである。
【図３】自動追い焚き運転のフローチャートである。
【図４】変更例の自動湯張り運転のフローチャートである。
【発明を実施するための形態】
【０００９】
以下、本発明の実施の形態を図面に基づいて説明する。
図１は、風呂給湯器の概略回路図で、風呂給湯器１は、給湯側燃焼室４内に、給湯側バーナ５，５・・と給湯側熱交換器としての一次熱交換器６及び二次熱交換器７とをそれぞれ備えて水道水を加熱し出湯させる給湯加熱部２と、風呂側燃焼室２０内に、風呂側バーナ２１及び風呂側熱交換器２２を備えて風呂の追い炊き等に利用される風呂加熱部３とからなる。
まず給湯加熱部２において、二次熱交換器７の入口には、給湯水量センサ９を備えて上水道から水道水を供給する給水管８が接続され、二次熱交換器７の出口と一次熱交換器６の入口との間には、二次熱交換器７で加熱された湯を一次熱交換器６へ供給する連結管１０が接続されて、一次熱交換器６の出口に、給湯サーミスタ１２を備えて一次熱交換器で加熱された湯を出湯する出湯管１１が接続されている。１３は器具外部の給湯栓である。
【００１０】
また、給湯側燃焼室４内において、一次熱交換器６は給湯側バーナ５の燃焼排気経路の上流側に、二次熱交換器７は燃焼排気経路の下流側にそれぞれ配設されて、伝熱管内の通水を燃焼排気と熱交換させるようになっている。給湯側バーナ５へのガスの供給を行うガス管１４には、上流側からガス元電磁弁１５、給湯ガス比例制御弁１６、各給湯バーナ５への分岐管ごとの給湯切替電磁弁１７，１７・・がそれぞれ設けられている。給湯側燃焼室４の下方には、燃焼用空気を各給湯側バーナ５及び風呂側バーナ２１へ供給するファン１８が設けられている。１９は点火用のイグナイタである。
【００１１】
一方、風呂加熱部３において、風呂側熱交換器２２と浴槽２３との間には、循環ポンプ２５及び湯温検出手段としての風呂サーミスタ２６を備えた戻り配管２４と、往き配管２７とが接続されている。戻り配管２４には、出湯管１１から分岐されて給湯用電磁弁２９及び落とし込み水量センサ３０を備えた落とし込み管２８が接続され、落とし込み管２８に設けた給湯用電磁弁２９を開弁させることで、給湯加熱部２で加熱された湯を浴槽２３へ供給可能となっている。この風呂側熱交換器２２、戻り配管２４、往き配管２７とで、浴槽２３の湯水を循環させる風呂循環経路を形成している。
【００１２】
また、風呂側バーナ２１に接続されるガス管１４からの分岐管には、切替電磁弁３１が設けられている。３２，３３は、落とし込み管２８において給湯用電磁弁２９の下流側に設けられた逆止弁で、戻り配管２４において、落とし込み管２８との接続部よりも上流側には、戻り配管２４を開閉可能な弁体を駆動させる制御モータ３４が設けられている。３５はコントローラ、３６は給湯リモコン、３７は風呂リモコンで、戻り配管２４には、浴槽２３内の水位を検出するための入浴検出手段としての水圧センサ３８が設けられて、脱衣場内には、脱衣場内の温度を検出する気温検出手段としての室温サーミスタ３９が設けられている。但し、気温検出手段は、脱衣場のサーミスタに限らず、浴槽外であれば、浴室やリビング等の室内に設けたサーミスタ等を用いてもよいし、室外で外気温を検出するサーミスタ等を用いてもよい。
【００１３】
以上の如く構成された風呂給湯器１においては、まず通常の給湯は以下の如くなされる。
出湯管１１に設けられた給湯栓１３が開栓されて器具内に通水され、その通水を給湯水量センサ９で検知すると、コントローラ３５は、ファン１８を所定時間回転させて、給湯側燃焼室４及び風呂側燃焼室２０内に貯留している燃焼排気を排出させる（プリパージ）。その後、ガス管１４のガス元電磁弁１５、各給湯切替電磁弁１７を開弁させ、給湯ガス比例制御弁１６を所定開度で開弁させて、各給湯側バーナ５へガスを供給すると共に、イグナイタ１９を作動させて給湯側バーナ５，５・・に点火する。
【００１４】
すると、給湯側バーナ５の燃焼排気は、まず一次熱交換器６を通過して伝熱管の通水と熱交換した後、二次熱交換器７を通過して伝熱管の通水と熱交換して外部へ排出される。これにより、一次熱交換器６で顕熱が、二次熱交換器７で潜熱がそれぞれ回収されて加熱された湯が給湯栓１３から出湯される。
【００１５】
コントローラ３５は、出湯管１１の給湯サーミスタ１２によって出湯温度を監視し、出湯温度が給湯リモコン３６又は風呂リモコン３７によって指示された設定温度となるように、給湯切替電磁弁１７の開閉制御と、給湯ガス比例制御弁１６の開度調整とを行うと共に、ファン１８の回転数制御によって空気量を連続的に変化させる。給湯栓１３を閉じると、給湯水量センサ９の信号停止を確認したコントローラ３５は、ガス元電磁弁１５及び給湯切替電磁弁１７を閉じて給湯バーナ５を消火させ、所定時間ファン１８を回転させてポストパージを行う。
【００１６】
（自動湯張り運転の説明）
そして、コントローラ３５は、給湯加熱部２で出湯された湯を浴槽２３へ自動的に湯張り可能となっている。以下、この自動湯張り運転について、図２のフローチャートに基づいて説明する。
給湯リモコン３６又は風呂リモコン３７に設けられた湯張りスイッチを押すと、コントローラ３５は、まずＳ１で、室温サーミスタ３９から検出される脱衣場の室温が、ヒートショック対策が必要な温度（例えば１５℃以下）であるか否かを判別する。
ここで、ヒートショック対策が必要な室温であれば、Ｓ２で、出湯温度を、給湯リモコン３６又は風呂リモコンで３７で設定された湯張り温度（目標温度（例えば４０℃））よりも低い温度（低目標温度）に設定して湯張りを開始すると共に、報知手段としての給湯リモコン３６及び／又は風呂リモコン３７において、目標温度を低くした旨の報知（例えば合成音声や文字表示）を行う。
【００１７】
この低目標温度は、目標温度設定手段としての給湯リモコン３６又は風呂リモコン３７により任意に設定してもよい。また、室温サーミスタ３９からの検出温度に基づいて予め設定された温度テーブル（例えば検出温度が１５℃〜１０℃であれば目標温度から−１℃の温度、１０℃〜５℃であれば目標温度から−２℃の温度、５℃以下であれば目標温度から−３℃の温度とする）から設定したり、検出温度を用いた関数から算出したりすることで、給湯リモコン３６又は風呂リモコン３７において自動的に設定してもよい。このように低目標温度を、室温サーミスタ３９による検出温度に応じて変更するようにすれば、浴槽外の気温に応じた適切な低目標温度を設定することができる。
【００１８】
一方、Ｓ１の判別で、室温がヒートショック対策が必要な温度でなければ、Ｓ３で、出湯温度を目標温度に設定して湯張りを開始する。
Ｓ２，３の湯張りは、落とし込み管２８の給湯用電磁弁２９を開弁して給湯加熱部２に通水させて給湯側バーナ５を燃焼させ、出湯管１１からの湯を、落とし込み管２８及び戻り配管２４を介して浴槽２３に供給することで行われる。このとき制御モータ３４によって戻り配管２４の流路は開弁している。
【００１９】
目標温度での湯張りの場合、Ｓ４で、落とし込み管２８に設けた落とし込み水量センサ３０で検出した水量が設定水量に達したことが確認されると、Ｓ５で、給湯用電磁弁２９を閉じて通水を停止し、給湯側バーナ５を消火させて湯張りを終了し、循環ポンプ２５を作動させて風呂加熱部３内で浴槽２３の湯を循環させる。また、湯張りの終了を給湯リモコン３６又は風呂リモコン３７で報知する。
その後、戻り配管２４に設けた風呂サーミスタ２６で湯温を監視し、湯温が低下したら、風呂側バーナ２１を点火させると共に、循環ポンプ２５を作動させて浴槽２３の湯を循環させて追い焚きし、目標温度で保温する保温制御を実行する。
【００２０】
そして、低目標温度での湯張りの場合、Ｓ６で、検出した水量が設定水量に達したことが確認されると、Ｓ７で湯張りを終了し、湯張りの終了を給湯リモコン３６又は風呂リモコン３７で報知する。なお、このときにも目標温度を低くした旨の報知を行ってもよい。
その後、Ｓ８では、水圧センサ３８によって入浴の検出を行い、Ｓ９で、戻り配管２４に設けた風呂サーミスタ２６で湯温の低下を監視する。Ｓ８で入浴が検知されないままＳ９で湯温の低下が確認されると、Ｓ１０で、風呂側バーナ２１を点火させて循環ポンプ２５を作動させ、風呂熱交換器２２と浴槽２３との間を循環する風呂循環水を追い焚きして低目標温度で保温する。このときにも低目標温度である旨の報知を行ってもよい。Ｓ９で湯温の低下が確認されず、或いはＳ１０で保温した後は、Ｓ８に戻って入浴の検知を待つ。
【００２１】
一方、Ｓ８で水圧センサ３８によって入浴が検知されると、Ｓ１１で、風呂側バーナ２１を点火させて循環ポンプ２５を作動させ、風呂熱交換器２２と浴槽２３との間を循環する風呂循環水を目標温度まで追い焚きする。目標温度に達すると、風呂側バーナ２１の燃焼を停止させ、循環ポンプ２５を停止させ、目標温度で保温する。
【００２２】
（自動追い焚き運転の説明）
また、コントローラ３５は、浴槽２３に溜めた冷水を自動的に追い焚き（沸かし上げ）可能となっており、この場合も、同様にヒートショック対策が行われる。以下、この自動追い焚き運転を、図３のフローチャートに基づいて説明する。
給湯リモコン３６又は風呂リモコン３７に設けられた追い焚きスイッチを押すと、コントローラ３５は、Ｓ２１で、室温サーミスタ３９から検出される脱衣場の室温が、ヒートショック対策が必要な温度（例えば１５℃以下）であるか否かを判別する。
ここで、ヒートショック対策が必要な室温であれば、Ｓ２２で、追い焚き温度を、給湯リモコン３６又は風呂リモコンで３７で設定された目標温度よりも低い低目標温度に設定して、風呂側バーナ２１を点火させると共に、循環ポンプ２５を作動させて浴槽２３の湯を循環させて追い焚きを開始する。そして、給湯リモコン３６及び／又は風呂リモコン３７において、目標温度を低くした旨の報知（例えば合成音声や文字又はマークの表示）を行う。この低目標温度は図２の場合と同様に設定する。
【００２３】
一方、Ｓ２１の判別で、室温がヒートショック対策が必要な温度でなければ、Ｓ２３で、追い焚き温度を目標温度に設定して追い焚きを開始する。
目標温度での追い焚きの場合、Ｓ２４で、風呂サーミスタ２６で検出される湯温が目標温度に到達したことが確認されると、Ｓ２５で、風呂側バーナ２１を消火させると共に、循環ポンプ２５を停止させて追い焚きを終了し、湯温が低下したら、風呂側バーナ２１を点火させると共に、循環ポンプ２５を作動させて浴槽２３の湯を循環させて追い焚きし、目標温度で保温する。
【００２４】
そして、低目標温度での追い焚きの場合、Ｓ２６で、風呂サーミスタ２６で検出される湯温が低目標温度に到達したことが確認されると、Ｓ２７で、風呂側バーナ２１を消火させると共に、循環ポンプ２５を停止させて追い焚きを終了し、追い焚きの終了を給湯リモコン３６又は風呂リモコン３７で報知する。なお、このときにも目標温度を低くした旨の報知を行ってもよい。
その後、Ｓ２８では、水圧センサ３８によって入浴の検出を行い、Ｓ２９で、風呂サーミスタ２６で湯温の低下を監視する。Ｓ２８で入浴が検知されないままＳ２９で湯温の低下が確認されると、Ｓ３０で、風呂側バーナ２１を点火させて循環ポンプ２５を作動させ、風呂熱交換器２２と浴槽２３との間を循環する風呂循環水を追い焚きして低目標温度で保温する。このときにも低目標温度である旨の報知を行ってもよい。Ｓ２９で湯温の低下が確認されず、或いはＳ３０で保温した後は、Ｓ２８に戻って入浴の検知を待つ。
【００２５】
一方、Ｓ２８で水圧センサ３８によって入浴が検知されると、Ｓ３１で、風呂側バーナ２１を点火させて循環ポンプ２５を作動させ、風呂熱交換器２２と浴槽２３との間を循環する風呂循環水を目標温度まで追い焚きする。目標温度に達すると、風呂側バーナ２１の燃焼を停止させ、循環ポンプ２５を停止させる処理を繰り返して目標温度で保温する。
【００２６】
このように、上記形態の風呂給湯器１によれば、コントローラ３５は、ヒートショック対策が必要な場合は、湯張り及び追い焚きを、給湯リモコン３６又は風呂リモコン３７で設定される目標温度よりも低い低目標温度で実行する一方、湯張り及び追い焚き後に水圧センサ３８によって入浴を検出すると、追い焚きを目標温度となるまで実行することで、入浴を検出するまでは低目標温度が維持され、低目標温度で湯張り及び追い焚きされた湯につかることになり、浴槽２３につかる前と後での体感温度の変化を小さくすることができる。よって、浴槽２３につかる際のヒートショックのおそれを低減することができる。
【００２７】
特にここでは、コントローラ３５は、湯張り及び追い焚き後で水圧センサ３８による入浴の検出前に、風呂サーミスタ２６によって浴槽２３内の湯水の温度低下を検出したら、低目標温度まで追い焚きを実行するので、低目標温度で保温でき、湯温が下がりすぎることがない。
また、コントローラ３５は、室温サーミスタ３９による検出温度が１５℃以下の場合に、湯張り及び追い焚きを、目標温度よりも低い低目標温度で実行するので、ヒートショック対策が必要な場合にのみ低目標温度で湯張り及び追い焚きを行うことができる。
さらに、低目標温度で実行する湯張り及び追い焚きを報知する報知手段を備えることで、ヒートショック対策による湯張り及び追い焚きであることをユーザに知らせることができ、故障との誤解を回避できる。
【００２８】
なお、上記形態では、湯張り及び追い焚き（沸かし上げ）の際にそれぞれ低目標温度を採用するヒートショック対策を講じているが、湯張り又は追い焚きの何れか一方のみでヒートショック対策を講じてもよい。
また、ヒートショック対策は、室温サーミスタによる検出温度が１５℃以下の場合に必要としているが、これ以外の検出温度を条件としてもよいし、当該検出温度と目標温度との温度差が例えば１０℃以上であればヒートショック対策が必要と判断してもよい。
また、入浴検出手段としては水圧センサに限らず、水位センサ等を採用してもよい。
【００２９】
（自動湯張り運転の変更例の説明）
上記風呂給湯器１においては、ヒートショック対策が必要な場合は、低目標温度で湯張り及び／又は追い焚きを実行するようにしているが、目標温度で湯張り及び／又は追い焚きした後、浴槽内の湯水を撹拌して湯温を低目標温度まで低下させることも考えられる。以下、この発明を、自動湯張り運転を例にして、図４のフローチャートに基づいて説明する。
【００３０】
給湯リモコン３６又は風呂リモコン３７に設けられた湯張りスイッチを押すと、コントローラ３５は、Ｓ４１で、室温サーミスタ３９から検出される脱衣場の室温が、ヒートショック対策が必要な温度（例えば１５℃以下）であるか否かを判別する。
ここで、ヒートショック対策が必要な温度でなければ、Ｓ４２で、出湯温度を目標温度に設定して湯張りを開始する。Ｓ４３で、水量センサ３０で検出した水量が設定水量に達したことが確認されると、Ｓ４４で、給湯用電磁弁２９を閉じて通水を停止し、給湯側バーナ５を消火させて湯張りを終了し、湯張りの終了を給湯リモコン３６又は風呂リモコン３７で報知する。また、循環ポンプ２５を作動させて浴槽２３の湯を循環させて追い焚きし、目標温度で保温する。
【００３１】
一方、Ｓ４１の判別で、ヒートショック対策が必要な温度であっても、同様に、Ｓ４５で、出湯温度を目標温度に設定して湯張りを開始する。Ｓ４６で、検出した水量が設定水量に達したことが確認されると、Ｓ４７で湯張りを終了し、湯張りの終了を給湯リモコン３６又は風呂リモコン３７で報知する。
次に、Ｓ４８で、風呂側バーナ２１を点火させずに循環ポンプ２５を作動させて、浴槽２３内の湯を循環させて撹拌を開始する。Ｓ４９で、風呂サーミスタ２６で検出される湯温が低目標温度まで低下したことが確認されると、Ｓ５０で循環ポンプ２５を停止させて撹拌を終了する。
【００３２】
その後、Ｓ５１では、水圧センサ３８によって入浴の検出を行い、Ｓ５２で、風呂サーミスタ２６で湯温の低下を監視する。Ｓ５１で入浴が検知されないままＳ５２で湯温の低下が確認されると、Ｓ５３で、風呂側バーナ２１を点火させて循環ポンプ２５を作動させ、風呂循環水を追い焚きして低目標温度で保温する。Ｓ５２で湯温の低下が確認されず、或いはＳ５３で保温した後は、Ｓ５１に戻って入浴の検知を待つ。
そして、Ｓ５１で水圧センサ３８によって入浴が検知されると、Ｓ５４で、風呂側バーナ２１を点火させて循環ポンプ２５を作動させ、風呂循環水を目標温度まで追い焚きする。目標温度に達すると、風呂側バーナ２１の燃焼を停止させ、循環ポンプ２５を停止させる処理を繰り返して目標温度で保温する。
【００３３】
この変更例においても、コントローラ３５は、湯張りを目標温度で実行した後、風呂循環経路内で浴槽２３の湯水を循環させて、浴槽２３内の湯水を低目標温度まで低下させることで、低目標温度の湯につかることになり、浴槽２３につかる前と後での体感温度の変化を小さくすることができる。よって、浴槽２３につかる際のヒートショックのおそれを低減することができる。また、浴槽２３に蓋をしていなければ、湯水の撹拌によって浴室内の温度の上昇も期待できる。
【００３４】
なお、冷水からの自動追い焚き運転を行う場合も、ヒートショック対策が必要であれば、目標温度まで追い焚きを行った後、図４のＳ４８以降の処理、すなわち、撹拌して低目標温度まで湯温を低下させて保温を行い、入浴を検出したら目標温度まで追い焚きして保温する制御を実行すればよい。また、この変更例も、湯張り又は追い焚きの何れか一方のみでヒートショック対策を講じるようにしてもよい。
【００３５】
その他、上記形態では、給湯加熱部に給湯側熱交換器として一次熱交換器と二次熱交換器とを備えているが、二次熱交換器がなく、一次熱交換器のみ備える給湯加熱部であっても差し支えない。風呂加熱部においても、風呂側熱交換器として一次熱交換器と二次熱交換器とを備えるものであってもよい。
【符号の説明】
【００３６】
１・・風呂給湯器、２・・給湯加熱部、３・・風呂加熱部、４・・給湯側燃焼室、５・・給湯側バーナ、６・・一次熱交換器、７・・二次熱交換器、８・・給水管、１１・・出湯管、２０・・風呂側燃焼室、２１・・風呂側バーナ、２２・・風呂側熱交換器、２３・・浴槽、２４・・戻り配管、２７・・往き配管、３５・・コントローラ、３６・・給湯リモコン、３７・・風呂リモコン、３８・・水圧センサ、３９・・室温サーミスタ。
【図１】
2019007662.tif 000003
【図２】
2019007662.tif 000004
【図３】
2019007662.tif 000005
【図４】
2019007662.tif 000006